(57)【特許請求の範囲】
【請求項１】
空気調和機のある空調空間にいる人を検知する人検知手段を備え、
前記人検知手段によって空調空間にいる人が検知されない状態で、かつ、空気調和機の運転が第１所定時間継続された場合に、空調空間に人がいないことを示す不在情報を端末装置に供給する不在お知らせモードを有しており、
不在お知らせモードにおいて不在情報が端末装置から報知された後、所定の供給禁止解除条件の空気調和機が停止されたことを満たすまでは、空気調和機の運転中、不在情報が端末装置から継続して報知されないことを特徴とする空気調和機。
【発明の詳細な説明】
【技術分野】
【０００１】
本発明は、冷房運転等を行う空気調和機に関する。
【背景技術】
【０００２】
空気調和機には、空調空間にいる人を検知する人検知手段を備えるものがある。この空
気調和機では、運転状態で人がいない状態が所定時間継続された場合に、空気調和機の運
転が自動的に停止される。
【先行技術文献】
【特許文献】
【０００３】
【特許文献１】特開２００８−１０１８８０号公報
【発明の概要】
【発明が解決しようとする課題】
【０００４】
しかし、ユーザが外出しており、空調空間に人がいない状態が長時間継続される場合で
あっても、人がいない空調空間において、ユーザが意図的に空気調和機の運転を行うこと
が考えられる。したがって、運転状態で人がいない状態が所定時間継続された場合に、空
気調和機の運転が自動的に停止される場合には、ユーザの意図に反して空気調和機の運転
を停止されるという問題がある。
【０００５】
この問題を解消するためには、運転状態で人がいない状態が所定時間継続された場合に
、空気調和機の運転を自動的に停止するのでなく、人がいない空調空間において空気調和
機の運転が行われていることを示す不在情報を、ユーザの端末装置に供給して、ユーザに
知らせることが考えられる。この場合には、ユーザは、必要に応じて、空気調和機の運転
を継続したり停止したりすることができるので、ユーザの意図に反して空気調和機の運転
を停止されるのを防止できる。しかし、この場合において、運転状態で人がいない状態が
長時間継続される場合に、不在情報が何度も繰り返してユーザの端末装置から報知される
と、ユーザが不快に感じることがある。
【０００６】
そこで、本発明は、不在情報がユーザの端末装置から報知される場合に、不在情報が何
度も繰り返してユーザの端末装置から報知されるのを防止できる空気調和機を提供するこ
とを目的とする。
【課題を解決するための手段】
【０００７】
第１の発明に係る空気調和機は、空気調和機のある空調空間にいる人を検知する人検知手段を備え、前記人検知手段によって空調空間にいる人が検知されない状態で、かつ、空気調和機の運転が第１所定時間継続された場合に、空調空間に人がいないことを示す不在情報を端末装置に供給する不在お知らせモードを有しており、不在お知らせモードにおいて不在情報が端末装置から報知された後、所定の供給禁止解除条件の空気調和機が停止されたことを満たすまでは、空気調和機の運転中、不在情報が端末装置から継続して報知されないことを特徴とする。
【０００８】
この空気調和機では、不在お知らせモードにおいて、空調空間にいる人が検知されない
状態で、かつ、空気調和機の運転が第１所定時間継続された場合に、不在情報が端末装置
に供給されるが、不在情報が端末装置から報知された後、不在情報が端末装置から継続し
て報知されないので、不在情報が何度も繰り返して端末装置から報知されるのを防止でき
る。
【０００９】
【００１０】
この空気調和機では、不在お知らせモードにおいて、不在情報を端末装置に供給した後
、空気調和機の運転が停止されるまでは不在情報が端末装置から報知されないので、不在
情報が何度も繰り返して端末装置から報知されるのを防止できる。
【００１１】
【００１２】
【発明の効果】
【００１３】
以上の説明に述べたように、本発明によれば、以下の効果が得られる。
【００１４】
第１の発明では、不在お知らせモードにおいて、空調空間にいる人が検知されない状態
で、かつ、空気調和機の運転が第１所定時間継続された場合に、不在情報が端末装置に供
給されるが、不在情報が端末装置から報知された後、不在情報が端末装置から継続して報
知されないので、不在情報が何度も繰り返して端末装置から報知されるのを防止できる。
【００１５】
第１の発明では、不在お知らせモードにおいて、不在情報を端末装置に供給した後、空
気調和機の運転が停止されるまでは不在情報が端末装置から報知されないので、不在情報
が何度も繰り返して端末装置から報知されるのを防止できる。
【００１６】
【図面の簡単な説明】
【００１７】
【図１】本発明の第１実施形態に係る空気調和機の冷媒回路を示す回路図である。
【図２】本発明の第１実施形態に係る空気調和機の制御部を説明する図である。
【図３】不在お知らせモードで運転される場合の制御を説明する図である。
【図４】本発明の第２実施形態に係る空気調和機の制御部を説明する図である。
【図５】不在お知らせモードで運転される場合の制御を説明する図である。
【発明を実施するための形態】
【００１８】
以下、本発明の実施形態に係る空気調和機１について説明する。
【００１９】
（第１実施形態）
＜空気調和機１の全体構成＞
図１に示すように、本実施形態の空気調和機１は、室内に設置される室内機２と、室外
に設置される室外機３とを備えている。そして、空気調和機１は、圧縮機１０と、四方弁
１１、室外熱交換器１２と、膨張弁（減圧機構）１３と、室内熱交換器１４とを接続した
冷媒回路を備えている。冷媒回路において、圧縮機１０の吐出口に四方弁１１を介して室
外熱交換器１２が接続され、その室外熱交換器１２に膨張弁１３が接続される。そして、
膨張弁１３に室内熱交換器１４の一端が接続され、その室内熱交換器１４の他端に四方弁
１１を介して圧縮機１０の吸込口が接続される。
【００２０】
空気調和機１は、自動運転、冷房運転、暖房運転、除湿運転及び送風運転のいずれかの
運転が可能であって、空気調和機１に付属されたコントローラや、ユーザの端末装置によ
って、いずれかの運転を選択して運転開始操作を行ったり、運転切換操作や運転停止操作
を行ったりすることができる。また、コントローラやユーザの端末装置では、室内温度の
設定温度を設定することができる。ユーザの端末装置は、例えばスマートフォンなどの液
晶端末であって、ネットワークを介して、空気調和機１に対して運転変更命令（運転開始
操作、運転停止操作、室内温度の設定温度等）を供給することができる。
【００２１】
冷房運転および除湿運転では、図示実線矢印で示すように、圧縮機１０から吐出された
冷媒が四方弁１１から室外熱交換器１２、膨張弁１３、室内熱交換器１４へと順に流れ、
室内熱交換器１４を経た冷媒が四方弁１１を通って圧縮機１０に戻る冷房サイクルまたは
除湿サイクルが形成される。すなわち、室外熱交換器１２が凝縮器、室内熱交換器１４が
蒸発器として機能する。
【００２２】
一方、暖房運転では、四方弁１１が切換わることにより、図示破線矢印で示すように、
圧縮機１０から吐出される冷媒が四方弁１１から室内熱交換器１４、膨張弁１３、室外熱
交換器１２へと順に流れ、室外熱交換器１２を経た冷媒が四方弁１１を通って圧縮機１０
に戻る暖房サイクルが形成される。すなわち、室内熱交換器１４が凝縮器、室外熱交換器
１２が蒸発器として機能する。
【００２３】
室内機２内には、室内熱交換器１４に対向した室内ファン１６が配置される。室内機２
の吹出口には、上下方向について吹き出し方向を変更する上下フラップ１７が配置される
。そして、図１に示すように、室内機２に、室内温度を検出する室内温度センサ（室内温
度検出手段）２１と、室内湿度を検出する室内湿度センサ（室内湿度検出手段）２２が取
付けられる。また、室内機２は、室内（空調空間）にいる人を検知する人検知センサ（人
検知手段）２５を有している。
【００２４】
空気調和機１の制御部５０には、空気調和機１に係る各種動作の制御プログラムやデー
タなどが格納されたＲＯＭ、空気調和機１の各部の動作を制御する信号を生成するために
各種演算を実行するＣＰＵ、各種設定やＣＰＵでの演算結果などのデータを一時保管する
ＲＡＭなどの部材が含まれている。これら各種部材およびソフトウェアによって、図２に
示すように、タイマー５１と、不在判断部５２と、解除判断部５３とが形成されている。
【００２５】
タイマー５１は、人検知センサ２５によって空調空間にいる人が検知されない状態にお
いて、空気調和機１の運転の継続時間を計測する。
【００２６】
不在判断部５２は、人検知センサ２５によって空調空間にいる人が検知されない状態で
、かつ、空気調和機１の運転が所定の不在時間（第１所定時間）継続された場合に、空調
空間に人がいないと判断する。したがって、不在判断部５２は、タイマー５１での計測時
間が所定の不在時間に到達した場合に、不在情報を端末装置３０に供給すると判断する
【００２７】
解除判断部５３は、後述する不在お知らせモードにおいて不在情報を端末装置３０に供
給した後、所定の供給禁止解除条件を満たした否かを判断する。本実施形態では、所定の
供給禁止解除条件は、空気調和機１の運転が停止されることであって、解除判断部５３は
、空気調和機１の運転が停止された場合に、所定の供給禁止解除条件を満たしたと判断す
る。
【００２８】
また、空気調和機１の制御部５０には、圧縮機１０と、四方弁１１、膨張弁１３と、室
内ファン１６を駆動するモータ１６ａと、上下フラップ１７を駆動するモータ１７ａと、
室内温度センサ２１と、室内湿度センサ２２と、人検知センサ２５と、空気調和機１に付
属されたコントローラ２８とが接続される。また、空気調和機１の制御部５０は、ユーザ
の端末装置３０から供給された運転変更命令に基づいて空気調和機１の運転を変更する。
ユーザの端末装置３０は、例えばスマートフォンなどの液晶端末であって、ネットワーク
を介して、空気調和機１に対して運転変更命令（運転開始操作、運転停止操作、室内温度
の設定温度等）を供給することができる。したがって、制御部５０は、コントローラ２８
やユーザの端末装置３０からの指令（運転開始操作、運転停止操作、室内温度の設定温度
等）や、室内温度センサ２１で検知される室内温度や、室内湿度センサ２２で検知される
室内湿度に基づいて、空気調和機１の運転を制御する。このように、本実施形態の空気調
和機１は、コントローラ２８からの指令（運転開始操作、運転停止操作、室内温度の設定
温度等）に基づいて運転状態が変更されるだけでなく、ユーザの端末装置３０から供給さ
れる運転変更命令（運転開始操作、運転停止操作、室内温度の設定温度等）に基づいて運
転状態が変更されるものである。
【００２９】
ここで、コントローラ２８には、表示部と、温度調整部と、運転開始ボタンと、停止ボ
タンとが設けられている。また、コントローラ２８には、運転選択部と、風量選択部と、
風向選択部とが設けられている。
【００３０】
表示部には、運転表示部と、設定温度表示部と、運転モード表示部とが表示されている
。運転表示部には、運転選択部で選択された運転（自動、冷房、暖房、除湿及び送風のい
ずれかの運転）が表示される。また、設定温度表示部には、温度調整部を操作することで
変更された温度が表示される。
【００３１】
温度調整部は設定温度を変更するものであり、温度調整部を操作して設定温度を上げた
り、温度調整部を操作して設定温度を下げることができる。運転開始ボタンを押すことに
より運転選択部により選択した運転が開始され、運転中に停止ボタンを押すことにより運
転が停止される。
【００３２】
コントローラ２８の運転選択部により、自動、冷房、暖房、除湿及び送風のいずれかに
切り換えて選択できる。風量選択部により、風量を自動、微（微量）、弱（少量）及び強
（多量）のいずれかに切り換えて選択できる。風向選択部により、風向を自動、上（上方
向）、中（水平方向）及び下（下方向）のいずれかに切り換えて選択できる。
【００３３】
そして、コントローラ２８には、モード切換部が設けられている。モード切換部により
、空気調和機１の高温防止モードを、強制運転モード、お知らせモード及び切のいずれか
に切り換えることができる。本実施形態の空気調和機１では、高温防止モードが切に切り
換えられた場合、不在お知らせモードが設定される。
【００３４】
したがって、本実施形態の空気調和機１では、モード切換部によって、強制運転モード
、お知らせモード及び不在お知らせモード（高温防止モードの切）のいずれかが設定され
る。よって、空気調和機１において、強制運転モードでの運転と、お知らせモードでの運
転と、不在お知らせモードでの運転とは同時に行われることはない。
【００３５】
強制運転モードでは、室内が高温状態や高湿状態である場合に、室内温度及び室内湿度
に基づいて、強制運転が自動的に開始される。したがって、強制運転モードに切り換えた
場合、室内が高温状態や高湿状態になったときに、ユーザがコントローラ２８や端末装置
３０によって運転開始操作を行わなかった場合でも、強制運転が自動的に開始されて、室
内温度及び室内湿度が低下する。
【００３６】
お知らせモードでは、室内が高温状態や高湿状態である場合に、室内温度及び室内湿度
に基づいて、運転開始を促す報知が自動的に行われる。運転開始を促す報知としては、例
えば、「室内が高温になっています。冷房運転を開始してください。」という内容が、室
内機２から音声で報知されたり、室内機２の表示部に表示される。
【００３７】
不在お知らせモードでは、人検知センサ２５によって室内にいる人が検知されない状態
で、かつ、空気調和機１の運転が所定の不在時間だけ継続された場合に、室内に人がいな
いことを示す不在情報をユーザの端末装置３０に供給する。本実施形態の空気調和機１で
は、不在お知らせモードにおいて不在情報がユーザの端末装置３０に供給された場合、不
在情報として、例えば、「室内に人がいない状態で空気調和機が運転されています。」と
いう内容が、ユーザの端末装置３０に供給され、端末装置３０の表示画面に表示される。
このとき、空気調和機１から供給された不在情報は、ユーザの端末装置３０に記憶される
ので、空気調和機１から不在情報が一度供給された後において、ユーザは、端末装置３０
に記憶された不在情報を見ることができる。したがって、本発明の空気調和機１では、不
在情報を端末装置３０に一度供給すると、その後、ユーザは端末装置３０に記憶された不
在情報を見ることができるので、不在情報を何度も繰り返して端末装置３０に供給しない
。
【００３８】
次に、空気調和機１の不在お知らせモードにおける制御について、図３を参照しつつ説
明する。
【００３９】
まず、空気調和機１の運転停止時において、コントローラ３０のモード切換部によって
、不在お知らせモード（高温防止モードの切）に切り換えられる（ステップＳ１）。
【００４０】
不在お知らせモードにおいて、人検知センサ２５によって室内にいる人が検知されない
状態であるかを繰り返し判断する（ステップＳ２）。人検知センサ２５によって室内にい
る人が検知されない状態であると判断した場合には（ステップＳ２：ＹＥＳ）、人検知セ
ンサ２５によって室内にいる人が検知されない状態において、空気調和機１の運転が所定
の不在時間だけ継続されたかを判断する（ステップＳ３）。空気調和機１の運転が所定の
不在時間だけ継続されたと判断した場合には（ステップＳ３：ＹＥＳ）、室内に人がいな
いことを示す不在情報をユーザの端末装置３０に供給する。一方、空気調和機１の運転が
所定の不在時間だけ継続されてないと判断した場合には（ステップＳ４：ＮＯ）、ステッ
プＳ２に移行する。
【００４１】
不在情報をユーザの端末装置３０に供給した後、空気調和機１の運転が停止されたかを
繰り返し判断する（ステップＳ５）。空気調和機１の運転が停止されたと判断した場合に
は（ステップＳ５：ＹＥＳ）、不在情報の供給禁止状態を解除する（ステップＳ６）。そ
の後、ステップＳ２に移行する。
【００４２】
＜本実施形態の空気調和機の特徴＞
本実施形態の空気調和機１では、不在お知らせモードにおいて、空調空間にいる人が検
知されない状態で、かつ、空気調和機の運転が所定の不在時間継続された場合に、不在情
報が端末装置３０に供給されるが、不在情報が端末装置３０から報知された後、空気調和
機１の運転中は、不在情報が端末装置３０から報知されないので、不在情報が何度も繰り
返して端末装置３０から報知されるのを防止できる。
【００４３】
また、本実施形態の空気調和機１では、所定の供給禁止解除条件が、空気調和機の運転
が停止されることであって、不在お知らせモードにおいて、不在情報が端末装置３０から
報知された後、空気調和機１の運転が停止されるまでは不在情報が端末装置３０から報知
されないので、不在情報が何度も繰り返して端末装置３０から報知されるのを防止できる
。
【００４４】
（第２実施形態）
本発明の第２実施形態に係る空気調和機では、第１実施形態において、所定の供給禁止解
除条件は、空気調和機の運転が停止されることであるのに対し、本実施形態では、所定の
供給禁止解除条件が、不在情報を端末装置に供給した後で所定の解除時間（第２所定時間
）が経過することである点で異なるが、その他の構成は同一であるので、詳細な説明は詳
細な説明は省略する。
【００４５】
図４に示すように、空気調和機の制御部１５０には、空気調和機に係る各種動作の制御
プログラムやデータなどが格納されたＲＯＭ、空気調和機の各部の動作を制御する信号を
生成するために各種演算を実行するＣＰＵ、各種設定やＣＰＵでの演算結果などのデータ
を一時保管するＲＡＭなどの部材が含まれている。これら各種部材およびソフトウェアに
よって、図１に示すように、タイマー１５１と、不在判断部５２と、解除判断部１５３と
が形成されている。
【００４６】
タイマー１５１は、人検知センサ２５によって空調空間にいる人が検知されない状態に
おいて、空気調和機の運転の継続時間を計測する。また、タイマー１５１は、不在情報を
端末装置３０に供給した後での経過した時間を計測する。
【００４７】
不在判断部５２は、人検知センサ２５によって空調空間にいる人が検知されない状態で
、かつ、空気調和機１の運転が所定の不在時間（第１所定時間）継続された場合に、空調
空間に人がいないと判断する。したがって、不在判断部５２は、タイマー５１での計測時
間が所定の不在時間に到達した場合に、不在情報を端末装置３０に供給すると判断する
【００４８】
解除判断部１５３は、不在お知らせモードにおいて不在情報を端末装置３０に供給した
後、所定の供給禁止解除条件を満たした否かを判断する。本実施形態では、所定の供給禁
止解除条件は、不在情報を端末装置３０に供給した後で所定の解除時間（第２所定時間）
が経過することであって、解除判断部５３は、不在情報を端末装置３０に供給した後で所
定の解除時間が経過した場合に、所定の供給禁止解除条件を満たしたと判断する。
【００４９】
不在お知らせモードでは、人検知センサ２５によって室内にいる人が検知されない状態
で、かつ、空気調和機の運転が所定の不在時間だけ継続された場合に、室内に人がいない
ことを示す不在情報をユーザの端末装置３０に供給する。本実施形態の空気調和機では、
不在お知らせモードにおいて不在情報がユーザの端末装置３０に供給された場合、不在情
報として、例えば、「室内に人がいない状態で空気調和機が運転されています。」という
内容が、ユーザの端末装置３０に供給され、端末装置３０の表示画面に表示される。
【００５０】
次に、空気調和機の不在お知らせモードにおける制御について、図５を参照しつつ説明
する。
【００５１】
まず、空気調和機の運転停止時において、コントローラ３０のモード切換部によって、
不在お知らせモード（高温防止モードの切）に切り換えられる（ステップＳ１）。
【００５２】
不在お知らせモードにおいて、人検知センサ２５によって室内にいる人が検知されない
状態であるかを繰り返し判断する（ステップＳ２）。人検知センサ２５によって室内にい
る人が検知されない状態であると判断した場合には（ステップＳ２：ＹＥＳ）、人検知セ
ンサ２５によって室内にいる人が検知されない状態において、空気調和機の運転が所定の
不在時間だけ継続されたかを判断する（ステップＳ３）。空気調和機の運転が所定の不在
時間だけ継続されたと判断した場合には（ステップＳ３：ＹＥＳ）、室内に人がいないこ
とを示す不在情報をユーザの端末装置３０に供給する。一方、空気調和機の運転が所定の
不在時間だけ継続されてないと判断した場合には（ステップＳ４：ＮＯ）、ステップＳ２
に移行する。
【００５３】
不在情報をユーザの端末装置３０に供給した後、所定の解除時間が経過したかを繰り返
し判断する（ステップＳ１０５）。所定の解除時間が経過したと判断した場合には（ステ
ップＳ５：ＹＥＳ）、不在情報の供給禁止状態を解除する（ステップＳ６）。その後、ス
テップＳ２に移行する。
【００５４】
＜本実施形態の空気調和機の特徴＞
本実施形態の空気調和機では、所定の供給禁止解除条件が、不在情報を端末装置３０に
供給した後で所定の解除時間（第２所定時間）が経過することであって、不在お知らせモ
ードにおいて、不在情報が端末装置３０から報知された後、不在情報が端末装置３０から
報知された後で解除時間が経過するまでは不在情報が端末装置３０から報知されないので
、不在情報が何度も繰り返して端末装置３０から報知されるのを防止できる。
【００５５】
以上、本発明の実施形態について図面に基づいて説明したが、具体的な構成は、これら
の実施形態に限定されるものでないと考えられるべきである。本発明の範囲は、上記した
実施形態の説明ではなく特許請求の範囲によって示され、さらに特許請求の範囲と均等の
意味および範囲内でのすべての変更が含まれる。
【００５６】
例えば、上述の実施形態では、強制運転が自動的に開始される強制運転モードと、運転
開始を促す報知が自動的に行われるお知らせモードと、不在であることを知らせる不在お
知らせモードとを有している場合について説明したが、不在お知らせモードを有する空気
調和機において本発明の効果が得られる。
【００５７】
また、上述の実施形態では、不在お知らせモードにおいて、所定の供給禁止解除条件が
、空気調和機の運転が停止されることである場合と、不在情報を端末装置に供給した後で
第２所定時間が経過することである場合について説明したが、所定の供給禁止解除条件は
変更してもよい。
【産業上の利用可能性】
【００５８】
本発明を利用すれば、不在情報が端末装置から報知される場合において、不在情報が何
度も繰り返して端末装置から報知されるのを防止できる。
【符号の説明】
【００５９】
１  空気調和機
２  室内機
３  室外機
２５  人検知センサ
３０  端末装置
【図１】
0005910599.tif 000002
【図２】
0005910599.tif 000003
【図３】
0005910599.tif 000004
【図４】
0005910599.tif 000005
【図５】
0005910599.tif 000006